(57)【要約】【課題】電磁誘導現象を利用した照明装置への電力供給を行うことを可能にすることで、屋外でも設置することを可能にすること。【解決手段】本発明の電力供給装置は、筐体５と、筐体５内部に設けて、外部電源４からの電力を高周波交流電力に変換する高周波電力発生部６と、筐体５内部に設けて高周波電力発生部６に接続され、筐体５に着脱可能に取り付けられる少なくとも１つの照明装置３に設けられた電力受電部１０に、前記高周波電力発生部６により変換した高周波交流電力を供給する少なくとも１つの電力供給部７と、筐体５に対して照明装置３を高周波交流電力の給電が可能な位置に固定し保持する固定保持部９とを有している。【選択図】図１
2010114009.tif 000002
【特許請求の範囲】
【請求項１】
筐体と；
前記筐体内部に設けて、外部電源からの電力を高周波交流電力に変換する高周波電力発生部と；
前記筐体内部に設けて前記高周波電力発生部に接続され、前記筐体に着脱可能に取り付けられる少なくとも１つの照明装置に設けられた電力受電部に、前記高周波電力発生部により発生した前記高周波交流電力を供給する少なくとも１つの電力供給部と；
前記筐体に対して前記照明装置を前記高周波交流電力の給電が可能な位置に固定し保持する固定保持部と；
を具備したことを特徴とする電力供給装置。
【請求項２】
前記少なくとも１つの電力供給部は、複数の電力供給部が前記筐体の長手方向に沿って前記筐体内部に配設されていることを特徴とする請求項１に記載の電力供給装置。
【請求項３】
外部電源からの電力を高周波交流電力に変換し、この高周波交流電力を供給する少なくとも１つの電力供給部を有する電力供給装置に、着脱可能に取り付けられる筐体と；
前記筐体内部に設けて、前記電力供給装置の前記電力供給部から供給された前記高周波交流電力を受電する電力受電部と；
前記電力供給装置に対して前記筐体を前記高周波交流電力の受電が可能な位置に固定し保持する固定保持部と；
光源と；
前記電力受電部により受電した高周波交流電力を前記光源に供給することにより前記光源を点灯させる点灯回路と；
を具備したことを特徴とする照明装置。
【請求項４】
請求項１又は請求項２に記載の電力供給装置と；
請求項３に記載の照明装置と；
を具備したことを特徴とする電力供給システム。
【発明の詳細な説明】
【技術分野】
【０００１】
本発明は、電力供給装置、この電力供給装置に装着される照明装置、及び前記電力装置と前記照明装置とを有する電力供給システムに関する。
【背景技術】
【０００２】
電力供給装置と、この電力供給装置に装着される少なくとも一個以上の照明装置とを有して構成された電力供給システムには、例えばライティングダクトシステムがある。
【０００３】
このライティングダクトシステムは、従来より、主に施設や住宅等の屋内用の照明器具として用いられており、少なくとも一個以上の照明装置が着脱自在に吊り下げられ電気的に接続される電力供給装置としてのライティングダクトを有して構成されている。
【０００４】
また、このようなライティングダクトシステムは、例えば引掛シーリングに接続された接続線を電気的に接続したライティングダクトの給電部と、照明装置に設けられた接続端子等の受電部とを接触させて導通状態にすることで、前記照明装置に電力を供給するようになっている。
【０００５】
例えば、特許文献１には、ライティングダクト内に設けられた導電部（給電部）と、このライティングダクトに取り付けられる照明装置の接続部に設けられた接続端子（受電部）とを接触させて導通状態にすることにより、前記照明装置に電力を供給する電力供給構造を備えたライティングダクト装置に関する技術が開示されている。
【特許文献１】特開２００５−１８３２０７号公報
【発明の開示】
【発明が解決しようとする課題】
【０００６】
しかしながら、前記従来技術では、ライティングダクト内の導電部と照明装置の接続端子との接触部分が露出する構造であるため、防水機能は有してはおらず、そのため、湿度の高い場所や雨水等が予想される屋外等には設置することができないといった不都合があった。
【０００７】
しかしながら、従来の接続構造を有するライティングダクトは、接続端子を外部に露出させることによって照明器具を移動自在に取り付けられる取付構造を用いて構成されているため、この接続端子に対して防水手段を設けることは構造的に困難であり、このため、新たな給電方法が望まれていた。
【０００８】
そこで、本発明は前記事情に鑑みてなされたものであり、照明器具への電力供給を非接触で行うことを可能にすることで、屋外でも設置することができる電力供給装置、照明装置、及び電力供給システムを提供することを目的とする。
【課題を解決するための手段】
【０００９】
請求項１に記載の発明の電力供給装置は、筐体と；前記筐体内部に設けて、外部電源からの電力を高周波交流電力に変換する高周波電力発生部と；前記筐体内部に設けて前記高周波電力発生部に接続され、前記筐体に着脱可能に取り付けられる少なくとも１つの照明装置に設けられた電力受電部に、前記高周波電力発生部により発生した前記高周波交流電力を供給する少なくとも１つの電力供給部と；前記筐体に対して前記照明装置を前記高周波交流電力の給電が可能な位置に固定し保持する固定保持部と；を具備している。
【００１０】
請求項２に記載の発明の電力供給装置は、請求項１に記載の電力供給装置において、前記少なくとも１つの電力供給部は、複数の電力供給部が前記筐体の長手方向に沿って前記筐体内部に配設されていることを特徴とする。
【００１１】
請求項１及び請求項２において、前記電力供給装置を、例えばライティングダクト装置として構成した場合には、前記筐体は、細長の四角形状に構成される。この場合、筐体の底部には、長手方向に沿って前記固定保持部としての開口を有するスライド口、及びスライド係合部が形成される。尚、この固定保持部は、筐体に対して照明装置を保持固定するだけでなく、筐体の長手方向に沿って自在にスライド可能である。
【００１２】
また、前記電力装置を、例えば引っ掛けシーリングタイプの装置として構成した場合には、前記筐体は、例えば角形または円柱形状等で構成される。この場合、筐体の底部には、固定保持部としての一対の引っ掛け穴が形成される。
【００１３】
尚、固定保持部の構成は、前記構成に限定されるものではなく、電力供給装置に対して照明装置を、電力の供給可能な位置に保持して固定する構成であればどのような手段を用いて構成しても良い。
【００１４】
請求項３に記載の発明の照明装置は、外部電源からの電力を高周波交流電力に変換し、この高周波交流電力を供給する少なくとも１つの電力供給部を有する電力供給装置に、着脱可能に取り付けられる筐体と；前記筐体内部に設けて、前記電力供給装置の前記電力供給部から供給された前記高周波交流電力を受電する電力受電部と；前記電力供給装置に対して前記筐体を前記高周波交流電力の受電が可能な位置に固定し保持する固定保持部と；光源と；前記電力受電部により受電した高周波交流電力を前記光源に供給することにより前記光源を点灯させる点灯回路と；を具備している。
【００１５】
請求項３において、この照明装置は、請求項１又は請求項２に記載の電力供給装置に着脱可能に装着されるものであって、前記筐体の形状及び前記固定保持部の構成は、装着される電力供給装置に合わせて構成される。
【００１６】
また、光源は、例えば発光ダイオードを用いて構成されるが、その他のランプを用いて構成しても良く、使用形態に応じてランプの種類を変更可能である。
【００１７】
請求項４に記載の発明の電力供給システムは、請求項１又は請求項２に記載の電力供給装置と；請求項３に記載の照明装置と；を具備している。  
【発明の効果】
【００１８】
請求項１の本発明によれば、電力供給部を筐体内部に配設し、電力受電部に対して電気的に非接触の状態で照明装置への電力供給を行うことができ、屋外でも設置することができる防水機能を有する電力供給装置を構成できる。また、接続端子の接続構造が無いため接触抵抗が減少し、照明装置の装着性を向上できる。
【００１９】
請求項２の発明によれば、さらに、電力供給装置を、ライティングダクト装置として構成することが可能となり、請求項１と同様の効果が得られる。
【００２０】
請求項３の発明によれば、電磁誘導現象を利用した照明装置への電力供給を行うことを可能にすることで、防水機能が得られるので、屋外でも設置することができる照明装置を構成できる。また、従来技術よりも、照明装置の装着性を向上できる。
【００２１】
請求項４の発明によれば、電磁誘導現象を利用した照明装置への電力供給を行うことを可能にすることで、防水機能が得られ、屋外でも設置することができる電力供給システムを構成できる。
【発明を実施するための最良の形態】
【００２２】
以下、図面を参照して本発明の実施の形態を説明する。  
（第１の実施の形態）  
図１から図４は本発明に係る電力供給システムの第１の実施の形態を示し、図１は第１の実施の形態の電力供給システムの全体構成を示すブロック図、図２及び図３は電力供給システムの外観の構成を説明するもので、図２は電力供給システムの電力供給装置の構成を示す斜視図、図３は図２の電力供給装置に装着される照明装置の構成を示す斜視図である。また、図４は図３の照明装置が図２の電力供給装置に装着した場合の断面図である。  
尚、第１の実施の形態では、電力供給システムとして、例えばライティングダクトシステムに適用した場合の構成について説明する。
【００２３】
図１に示すように、第１の実施の形態の電力供給システム１は、電力供給装置２と、この電力供給装置２に着脱自在に装着される少なくとも１つの照明装置３と、外部電源である商用電源４と、前記電力供給装置２に対して前記照明装置３に給電が可能な位置に固定し保持する固定保持部９とを有して構成されている。
【００２４】
電力供給装置２は、例えばライティングダクト装置を構成するものであって、筐体５と、商用電源４が電源線４ａを介して接続される高周波電力発生部６と、この高周波電力発生部６に接続線７ａを介して接続される複数の電力供給部７とを有して構成されている。
【００２５】
商用電源４からの接続線７ａは、例えば引掛シーリングを介して筐体５内部の前記高周波電力発生部６に接続される。そして、商用電源４からの交流が高周波電力発生部６に供給される。
【００２６】
高周波電力発生部６は、筐体５内部に密封するように設けられ、商用電源４からの交流を高周波交流電力に変換して発生させ、接続線７ａを介して前記複数の電力供給部７に出力する。
【００２７】
電力供給部７は、後述する照明装置３の種類に応じて複数個、筐体５内部に密封するように設けられている。また、電力供給部７は、電磁誘導現象を利用して電力を給電するための送電コイル等を用いて構成されている。  
そして、電力供給部７は、前記高周波電力発生部により発生した前記高周波交流電力を、電磁誘導現象を利用して後述する照明装置３の電力受電部１０に供給する。  
尚、電力供給部７は、１個以上の複数個設けられており、照明装置３の数や種類に応じて最適な個数を設けることが望ましい。  
このような構成の電力供給装置２の筐体５には、固定保持部９によって照明装置３が前記高周波交流電力の給電が可能な位置に固定し保持される。
【００２８】
一方、照明装置３は、固定保持部９によって電力供給装置２の筐体５に固定保持される筐体８と、電力供給装置２の前記電力供給部７から供給された高周波交流電力を受電する電力受電部１０と、この電力受電部１０に接続線１０ａを介して接続される点灯回路１１と、この点灯回路１１に接続線１２ａを介して接続される光源１２とを有して構成されている。  
尚、第１の実施の形態では、照明装置３を１個設けた構成について説明するが、複数の照明装置３を前記電力供給装置２に装着しても良い。
【００２９】
筐体８内部の前記電力供給装置２側には、電力受電部１０が密封するように設けられている。電力受電部１０は、電磁誘導現象を利用して電力を受電するための受電コイル等を用いて構成されている。
【００３０】
そして、電力受電部１０は、前記電力供給部７から供給された高周波交流電力を、電磁誘導現象を利用して受電し、点灯回路１１に出力する。
【００３１】
点灯回路１１は、電力受電部１０により受電した高周波交流電力を直流電力に変換して、接続線１２ａを介して光源１２に供給することでこの光源１２を点灯させる。
【００３２】
尚、光源１２は、例えば発光ダイオードを用いて構成されている。勿論、光源１２は、発光ダイオードに限らず、その他のランプ等を用いて構成しても良い。
【００３３】
次に、電力供給装置２、照明装置３、及び固定保持部９の具体的な構成について、図２〜図４を用いて説明する。  
電力供給装置２は、図２に示すように、ライティングダクト装置として構成したものである。そのため、ライティングダクト装置の主要部である筐体５は、例えば横長で四角状の直方体に形成され、底部に開口５Ｂを有するスライド口５Ａが内部に形成されている。
【００３４】
また、このスライド口５Ａの開口５Ｂの両側縁部には、長手方向に沿って開口５Ｂ側に突出する固定保持部としてのスライド係合部５Ｃが形成されている。
【００３５】
筐体５に照明装置３を装着する場合には、筐体５のスライド口５Ａに、後述する照明装置３の筐体８を挿通し、且つ、筐体５のスライド係合部５Ｃに筐体８の外周部に設けられた固定保持部としての係合部９Ａを係合して装着する。
【００３６】
これにより、図４に示すように、照明装置３が電力供給装置２に着脱自在に装着される。
【００３７】
また、筐体５内部の上部側には、前記複数の電力供給部７が長手方向に沿って配設されている。  
尚、図２では３個の電力供給部７を配設した一例であって、勿論、この３個に限定されるものではなく、さらに複数の電力供給部７を配設しても良い。また、これらの電力供給部７は、図示はしないが筐体５内部に埋設された接続線７ａを介して高周波電力発生部６に接続されている。
【００３８】
この高周波電力発生部６は、図２に示すように、筐体５の基端側の側面部に設けられて固定されている。
【００３９】
尚、前記筐体５は、例えばアルミダイキャストで構成されたもので、その外表面及び内表面は、塗装されて絶縁性を有している。勿論、筐体５自体を樹脂等の絶縁部材を用いて構成しても良い。
【００４０】
尚、筐体５は外表面が絶縁性を有しているとともに、電力供給部７で発生する高周波磁場によって誘導電流が流れない部材または構成を用いるのが好ましい。
【００４１】
一方、照明装置３の筐体８は、例えば前記電力供給装置２のスライド口５Ａに挿通可能に形成されており、例えば樹脂等の絶縁部材を用いて円柱形状に構成されている。
【００４２】
この筐体８の両側側面には、一対の係合部９Ａが設けられている。また、筐体８の電力供給装置２側の上部には、略同じように円柱形状に形成された電力受電部１０が配設されている。
【００４３】
尚、電力受電部１０は電力受電部１０の充電部が外部に露出しない構成であればよく、電力受電部１０自体が筐体８の外部に露出する構成であってもよいし、筐体８の内部に配設される構成であってもよい。
【００４４】
この筐体８の内部には、前記したように点灯回路１１が埋設されている（図４参照）。そして、この筐体８の下部には、接続部８Ａを介して光源１２を有する灯具本体８Ｂが儲けられている。
【００４５】
この灯具本体８Ｂの所定位置には光源１２が配置され、この光源１２に接続する接続線１２ａ（図１参照）は、灯具本体８Ｂ、接続部８Ａを介して筐体８内の点灯回路１１に接続される（図４参照）。
【００４６】
尚、照明装置３は、筐体８と、接続部８Ａと、灯具本体８Ｂとを有する構成について説明したが、これに限定されるものではなく、主要部である筐体８、電力受電部１０、点灯回路１１及び光源１２を有していればどのような形状の照明装置であっても良い。また、灯具本体８Ｂは、図３に示すような形状に限定されることはなく、例えばスポット用に形成されたものや、その他の種類の形状のものを用いて構成しても良い。
【００４７】
また、本実施の形態の電力供給システム１において、電力供給装置２のスライド口５Ａ、開口５Ｂ及びスライド係合部５Ｃと、照明装置３の筐体８に設けられた一対の係合部９Ａとは固定保持部９を構成している。
【００４８】
この固定保持部９を設けたことによって、照明装置３を電力供給装置２の長手方向に沿ってスライドさせた場合でも、電磁誘導現象を利用した電力供給が可能な位置、すなわち、電力供給部７に対向する位置に保持固定することが可能となる。  
尚、第１の実施の形態において、前記保持固定部９は、電力供給装置２のスライド口５Ａ、開口５Ｂ及びスライド係合部５Ｃと、照明装置３の筐体８に設けられた一対の係合部９Ａとの構成に限定されるものではなく、他の方法を用いて筐体５に対して照明装置３の筐体８を保持固定しても良い。
【００４９】
従って、このような構成によれば、電磁誘導現象を利用した、電力供給部７と電力受電部１０とが無接触状態での電力供給が行える電力供給システム１を構成できる。
【００５０】
次に、本実施の形態の作用について、図２〜図４を用いて説明する。  
いま、照明装置３を、図４に示すように、電力供給装置２（ライティングダクト装置）に装着したものとする。
【００５１】
この場合、照明装置３の筐体８を、電力供給装置２の筐体５のスライド口５Ａに挿通し、且つ、筐体８の係合部９Ａを、筐体５のスライド係合部５Ｃに係合して装着する。  
そして、照明装置３の電力受電部１０が電力供給装置２の電力供給部７に対向配置するように、照明装置３の筐体８をスライドさせる。  
その後、ユーザは図示しないスイッチをオンすることによって、商用電源４からの交流が高周波電力発生部６に供給され、この高周波電力発生部６によって、商用電源４からの交流が高周波交流電力に変換して発生され、接続線７ａを介して前記複数の電力供給部７に出力される。
【００５２】
そして、複数の電力供給部７は、供給された高周波交流電力を、電磁誘導現象を利用して、前記電力供給部７とは無接触の状態である照明装置３の電力受電部１０に供給（給電）する。
【００５３】
すると、照明装置３側では、固定保持部９によって、照明装置３が電力供給装置２に対して電力の供給可能な位置に保持固定されているので、照明装置３の電力受電部１０は、電力供給部７から供給された高周波交流電力を、電磁誘導現象を利用して受電することができる。
【００５４】
そして、電力受電部１０により受電された高周波電力は、点灯回路１１によって、直流電力に変換されて、接続線１２ａを介して光源１２に供給される。これにより、光源１２は点灯することになる。
【００５５】
従って、第１の実施の形態によれば、前記したように、電磁誘導現象を利用した照明装置３への電力供給を行うことが可能となるので、防水機能が得られることで、屋外でも設置することができる電力供給システム１を実現できる。
【００５６】
また、第１の実施の形態によれば、従来のように導電部と接触端子との接触状態を気にせずに、固定保持部９によって照明装置３を電力供給装置２に簡単に装着することができる。
【００５７】
前述の例では、スイッチをオンすることによって、商用電源４からの交流が高周波電力発生部６に供給され、複数の電力供給部７に電力が供給される場合について説明した。
【００５８】
しかしながら、電力供給装置２が複数の電力供給部７を有している場合に照明装置３が接続されていない電力供給部７に電力を供給すると消費電力が無駄になる恐れがある。
【００５９】
従って、スイッチをオンにして高周波電力発生部６に商用電源４から電力が供給されたときに、接続されている照明装置３に対応する電力供給部７のみに電力を供給する構成が好ましい。例えば、固定保持部９に照明装置が接続されたことを検知して高周波電力発生部６から電力供給部７への電力供給をオンとする個別スイッチを設けておいてもよい。
【００６０】
これによって、接続された照明装置３のみに電力を供給することができ、無駄な消費電力を削減することができる。個別スイッチとしては例えば、接続されたときに照明装置３の一部が当接するような押釦スイッチを電力供給装置２に設けておいてもよいし、電力供給装置２と照明装置３とで接続状態の位置関係において通信可能な無線機能を設けておき、この通信の有無によってオンオフするものであってもよい。
【００６１】
また、複数の電力供給部７の供給電力を互いに異なるように構成してもよい。これによって、消費電力の定格が異なる照明装置３を一つの電力供給装置２に接続し電力供給することができる。
【００６２】
この場合には、電力供給部７の供給電力に合わせて電力供給装置２及び照明装置３の固定保持部９の形状を変えておき、定格が一致しない照明器具３が誤って接続されることを防止するようにしてもよい。
【００６３】
さらに、前述した無線機能によって照明器具３の消費電力の定格と電力供給部７の供給電力との一致、不一致を判断し、オンオフする個別スイッチを設けてもよい。
【００６４】
（第２の実施の形態）  
図５から図８は本発明に係る電力供給システムの第２の実施の形態を示し、図５は第２の実施の形態の電力供給装置の外観の構成を示す斜視図、図６は図５の電力供給装置に装着される照明装置の外観の構成を示す斜視図、図７は図５の電力供給装置の断面図、図８は図６の照明装置の断面図である。  
尚、図５〜図８は第１の実施の形態の電力供給システム１と同様な構成要素については同一の符号を付して説明を省略し、異なる部分のみを説明する。
【００６５】
第２の実施の形態の電力供給システム１は、第１の実施の形態におけるライティングダクト装置を有する構成ではなく、引っ掛けシーリングタイプの電力供給装置及び照明装置を有するシステムとして構成している。
【００６６】
具体的には、第２の実施の形態の電力供給システム１は、図５及び図６に示すように、引っ掛けシーリングタイプの電力供給装置２Ａと照明装置３Ａとを有して構成されている。
【００６７】
引っ掛けシーリングタイプの電力供給装置２Ａは、図５及び図７に示すように、第１の実施の形態と略同様に筐体５Ｘと、商用電源４が電源線４ａを介して接続される高周波電力発生部６と、この高周波電力発生部６に接続線７ａを介して接続される１個の電力供給部７とを有して構成されている。
【００６８】
筐体５Ｘは、図５に示すように、例えば略円柱形状に形成され、底面には前記電力供給部７が配置されるとともに、その電力供給部７の周囲には、一対の引っ掛け穴５ａが電力供給部７とは隔離された空間として形成されている。つまり、引っ掛け穴５aは電力供給部７に対して気密性を有して構成されている。
【００６９】
この引っ掛け穴５ａは、円弧状に設けられており、一端側に他端よりも幅広な挿入穴５a１及び他端側に一端よりも幅が狭い係合穴５a２を有している。また、係合穴５a２の内周側には係合段部５a３が形成されている。そして、この引っ掛け穴５aに後述する照明装置３Ａの上部に設けられた接続刃９Ａ１が嵌入される。これにより、照明装置３Ａは、電力供給装置２Ａに着脱自在に装着される。
【００７０】
尚、第２の実施の形態では、高周波電力発生部６は、図７に示すように、筐体５Ｘ内部に埋設されている。また、筐体５Ｘは、例えば樹脂等の絶縁部材を用いて構成することが望ましい。さらに、筐体５Ｘは外表面が絶縁性を有しているとともに、電力供給部７で発生する高周波磁場によって誘導電流が流れない部材または構成を用いるのが好ましい。
【００７１】
また、筐体５Ｘの形状は、図５に示す形状に限定されるものではなく、高周波電力発生部６、電力供給部７及び引っ掛け穴５ａを有していればその他の形状に構成しても良い。
【００７２】
一方、引っ掛けシーリングタイプの照明装置３Ａは、図６及び図８に示すように、筐体８Ｘと、電力供給装置２Ａの前記電力供給部７から供給された高周波交流電力を受電する電力受電部１０と、この電力受電部１０に接続線１０ａを介して接続される点灯回路１１と、この点灯回路１１に接続線１２ａを介して接続される光源１２とを有して構成されている。
【００７３】
筐体８Ｘは、例えば樹脂等の絶縁部材を用いて、前記電力供給装置２Ａの筐体５Ｘと略同形状に構成されている。また、筐体８Ｘの上面には、前記引っ掛け穴５ａに嵌入して照明装置３を固定保持するための一対の接続刃９Ａ１が設けられている。
【００７４】
接触刃９Ａ１は、引っ掛け穴５ａの開口部から係合段部５ａ３までの長さとほぼ同寸法の長さを有し、先端が筐体８Ｘの内周側に折り曲げられて、係合穴５ａ２よりも幅が広い先端部９Ａ２を有している。
【００７５】
照明装置３Ａを電力供給装置２Ａに接続する場合、照明装置３Ａの上部に設けられた接続刃９Ａ１を筐体５Ｘの挿入穴５ａ１に挿入し、この状態で筐体５Ｘを電力供給装置３Ａに対して回動させる。このとき、接続刃９Ａ１の先端が係合穴５ａ２の内周側に形成された係合段部５ａ３に係合する。これにより、照明装置３Ａは、電力供給装置２Ａに装着される。
【００７６】
筐体８Ｘの電力供給装置２Ａ側の上部には、略同じように円柱形状に形成された電力受電部１０が配設されている。電力受電部１０は充電部が外部に露出しないように形成されている。尚、電力受電部１０は筐体８Ｘの内部に配設してもよい。
【００７７】
また、この筐体８Ｘの内部には、点灯回路１１が埋設されている（図８参照）。そして、この筐体８Ｘの下部には光源１２が配設され、この光源１２は筐体５Ｘの下部に取り付けられた傘や反射板部材等で覆われるようになっている。
【００７８】
尚、照明装置３Ａは、図６及び図８に示す構成に限定されるものではなく、主要部である、接続刃９Ａ１を有する筐体８Ｘ、電力受電部１０、点灯回路１１及び光源１２を有していればどのような形状の照明装置であっても良い。
【００７９】
また、本実施の形態の電力供給システム１において、電力供給装置２Ａの筐体５Ｘに設けられた一対の引っ掛け穴５ａと、照明装置３Ａの筐体８Ｘに設けられた一対の接続刃９Ａ１とは固定保持部９を構成している。
【００８０】
そのため、第２の実施の形態においてもこのような固定保持部９を設けたことによって、電力供給装置２Ａに対して、電磁誘導象を利用した電力供給が可能な位置、すなわち、電力供給部７に対向する位置に照明装置３Ａを保持固定することが可能となる。
【００８１】
尚、第２の実施形態において、前記引っ掛けシーリングタイプの電力供給装置２Ａは、筐体５Ｘを円柱形状ではなく、例えば横長の四角形状に形成すると同時に、この筐体５Ｘの長手方向に沿って複数の電力供給部７を配設し、さらに、これらの電力供給部７に対応するように一対の引っ掛け穴５ａを複数設けて構成しても良い。
【００８２】
また、第２の実施の形態においても、前記保持固定部９は、引っ掛けシーリングタイプの引っ掛け穴５ａ及び接続刃９Ａ１に限定されるものでなく、他の方法を用いて筐体５Ｘに対して照明装置３Ａの筐体８Ｘを保持固定しても良い。
【００８３】
このような構成の第２の実施の形態の電力供給システム１は、前記第１の実施の形態と略同様に作用する。
【００８４】
従って、第２の実施の形態によれば、電力供給システム１を引っ掛けシーリングタイプのものに適用した場合でも、前記第１の実施の形態と同様の効果が得られる。
【００８５】
また、従来、引っ掛けシーリングタイプの照明装置は、屋内専用のものであったが、第２の実施の形態の電力供給システムを用いれば、屋外用としても設置することができる。
【００８６】
さらに、固定保持部９が引っ掛けシーリングタイプの構成で良いので、製造工程の簡略化及びコスト低減を図ることができ、また、従来と同様に照明装置３の装着性も良好である。
【００８７】
尚、本実施形態においても第１の実施形態と同様に異なる電力を供給するようにしてもよく、異なる定格の照明器具が接続されることを防止する機能や照明器具が接続されたことを検知して電力を供給可能に構成された個別スイッチを設けてもよい。
【００８８】
本発明は、以上述べた実施の形態のみに限定されるものではなく、発明
の要旨を逸脱しない範囲で種々変形実施可能である。
【図面の簡単な説明】
【００８９】
【図１】本発明に係る電力供給システムの第１の実施の形態を示し、電力供給システムの全体構成を示すブロック図。
【図２】図１の電力供給システムの電力供給装置の外観の構成を示す斜視図。
【図３】図２の電力供給装置に装着される照明装置の外観の構成を示す斜視図。
【図４】図３の照明装置が図２の電力供給装置に装着した場合の断面図。
【図５】本発明に係る電力供給システムの第２の実施の形態における電力供給装置の外観の構成を示す斜視図。
【図６】図５の電力供給装置に装着される照明装置の外観の構成を示す斜視図。
【図７】図５の電力供給装置の断面図。
【図８】図６の照明装置の断面図。
【符号の説明】
【００９０】
１…電力供給システム、
２、２Ａ…電力供給装置、
３、３Ａ…照明装置、
４…商用電源、
５、５Ｘ…筐体、
５Ａ…スライド口、
５Ｂ…開口、
５Ｃ…スライド係合部、
５ａ…引っ掛け穴、
６…高周波電力発生部、
７…電力供給部、
８、８Ｘ…筐体、
８Ａ…接続部、
８Ｂ…灯具本体、
９Ａ…係合部、
９…固定保持部、
９Ａ１…接続刃、
１０…電力受電部、
１１…点灯回路、
１２…光源。
【図１】
2010114009.tif 000003
【図２】
2010114009.tif 000004
【図３】
2010114009.tif 000005
【図４】
2010114009.tif 000006
【図５】
2010114009.tif 000007
【図６】
2010114009.tif 000008
【図７】
2010114009.tif 000009
【図８】
2010114009.tif 000010